(57)【要約】      （修正有）【課題】マルチレベルマーケティングシステム販売において、適正・公平な販売手数料の支払いを行うことができるシステムを構築すること。【解決手段】自分が下位登録メンバーであっても自分の努力により、上記メンバーをおいこしていくことができるフルサイクルクラブシステムを設定する。メンバーが自分の下位組織２系列で規定条件を達成した場合、そのメンバーは達成順に、既存組織の最上位のポジションに新たに登録しビジネスを展開できる。又、自分から発生するラインを２系列にし自分の傘下の売上を深い下位段階から取得できるバイナリーシステムとする。その２系列から片方のみの売上に大してのみ販売手数料が発生するのではなく両方の２系列から発生するようにＧＬボーナスを設定する。ＧＬボーナスが支払われることにより２系列のうち、片方における販売実績が無視されることなく、販売手数料が得られる。【選択図】なし【特許請求の範囲】
【請求項１】
ネットワークビジネスのＭＬＭ（マルチレベルマーケティングシステム）販売の販売システムはこれまで自分の直紹介者を複数置きその販売組織を自分から下方に組織構築しその組織から販売手数料が支払われるシステムで組織の上位に位置するメンバーがより有利な条件で販売手数料を獲得できる仕組みをなっているため下位メンバーが上位メンバーを上回る収入を得ることがシステム上不可能である。グッドライフＧＩサクセスバイナリーシステムは既存のシステムを活かしながらも、上位へさらにネットワークを構築していくことができ、下位メンバーが自らの努力によって、上位メンバーの収入を上回ることができるシステムであり、グッドライフＧＩサクセスバイナリーシステムをコンピュータープログラム化し管理されている。
又、これまでのＭＬＭシステムのバイナリーシステムは２系列の片方の売上実績のみが販売手数料の対象となっているため、１方のライン組織のみから販売手数料が発生しないという方伸び現象が発生した。グッドライフＧＩサクセスバイナリーシステムはＧＬボーナスによりこの方伸び現象を解決し、両方２系列から販売手数料が取得できる。
【発明の詳細な説明】
【技術分野】
【０００１】  本発明は、販売するための販売営業方法、組織構築方法、コミッション支払い方法などのシステムに関する。
【背景技術】
【０００２】  既存のネットワークビジネス（マルチレベルマーケティング（ＭＬＭ）、組織販売）におけるシステムは、１人のメンバーからスタートし、以後、自分の直接紹介会員を複数設置し、組織を下方に伸ばしながらネットワークを構築するやり方が一般的である。
メンバーは独立した事業主として会社と契約を結び、商品の宣伝販売及びメンバーの勧誘を行う。メンバーは、新規メンバーを自らの下位に配置し、下位メンバーの商品購入実績に応じて販売手数料を受け取ることができる。
【発明の開示】
【発明が解決しようとする課題】
【０００３】  従来のＭＬＭシステムにおいては、自分の直接紹介会員が複数であるため、傘下の伸びがなかなか達成できないことにより自分の傘下の売上を深い下位段階までえることが困難である。その中でバイナリーシステムはメンバーは自らの下位組織２系列の内、１系列のみから（どちらの系列からは各社によって異なる）販売手数料の算定対象と見なされており、もう片方の系列における販売実績は無視される傾向にある。
また、組織内でのメンバーの配置（上位・下位の位置関係）が固定的で、組織の上位に位置するメンバーがより有利な条件で販売手数料を獲得できる仕組みとなっているため、下位メンバーが上位メンバーを上回る収入を得ることがシステム上不可能である。
本発明は、既存のバイナリーシステムを活かしながらも、上位へネットワークを構築していくことができるため、下位メンバーが自らの努力によって、上位メンバーの収入を上回ることが可能となるシステムである。（図１参照）又、バイナリーシステムでは２系列のうち１系列のみの売上実績が販売手数料対象となり、もう一方のラインから販売手数料が発生しないことによる方伸び現象がある。本発明はこの方伸び現状を解決すべく、両方２系列が販売手数料の対象となる。
これらをグッドライフＧＩサクセスバイナリーシステムとしてコンピュータープログラム化し管理する。
【課題を解決するための手段】
【０００４】  自分から発生する２系列から片方のみの売上に対してのみ販売手数料が発生するのではなく両方の２系列から発生するようにＧＬボーナスを設定する。ＧＬボーナスが支払われることにより２系列の内、片方における販売実績が無視されることなく、販売手数料の対象とされる。【０００５】ＧＬボーナスは自分の２系列の内、売上が大きい方の系列グループの月間売上ポイントに対して支払われるボーナスです。【０００６】ＧＬボーナス取得条件（トレーナーランクは２万円以上オートシップ購入・３名以上のアクティブ直会員、エグゼクティブランクは３万円以上・６名以上のアクティブ直会員）が必要です。ＧＬボーナスは自分の少ない系列のグループポイントの５０％を上限とします。【０００７】  自分が下位登録メンバーであっても自分の努力により、上記メンバーを追い越していくことができるようにＦＣ（フルサイクルクラブ）システムを設定する。メンバーが、自らの下位組織２系列の両方で特定の売上げを達成した場合（フルサイクル）、そのメンバーは達成順に、既存組織の最上位（頂点）のポジションに新たに登録することができる。
上記メンバーは、フルサイクル（ＦＣ）クラブメンバーとなり、最上位ポジションからの新たなビジネス展開が可能である。（図１参照）【０００８】  但し、ＦＣメンバーが新たに登録した最上位ポジションで販売手数料を受け取るためには、毎月フルサイクルを維持することが必要である。【０００９】  ＦＣメンバー（ＦＣ１）がさらに上のポジション（ＦＣ２）を目指す場合、ＦＣ１の組織の売上げが少ない方の系列が特定の金額に達した場合において、ＦＣ２のポジションに新たに登録することが可能となる。
【発明の効果】
【００１０】  既存のネットワークビジネス（マルチレベルマーケティング（ＭＬＭ）、組織販売）におけるシステムは、１人のメンバーからスタートし、自分の直接紹介者を複数置きその下位組織の売上から販売手数料を取得することが主流である。バイナリーシステムは、新規に登録したメンバーを最初のメンバーの下位に２系列に振り分けながら配置することで、組織を下方に伸ばしながらネットワークを構築するやり方である。
メンバーは独立した事業主として会社と契約を結び、商品の宣伝販売及びメンバーの勧誘を行う。メンバーは、新規メンバーを自らの下位に配置し、下位メンバーの商品購入実績に応じて販売手数料を受け取ることができる。【００１１】  従来のシステムにおいては、上位メンバーが新規メンバーを自らの下位に機械的に配置するのみで、組織の上位に位置するメンバーがより有利な条件で販売手数料を獲得できる仕組みとなっているため、下位メンバーが上位メンバーを上回る収入を得ることがシステム上不可能である。
本発明は、既存のバイナリーシステムを活かしながらも、上位へネットワークを構築していくことができるため、下位メンバーが自らの努力によって、上位メンバーの収入を上回ることが可能となるシステムである。又、バイナリーシステムの場合は２系列の内、１系列のみが販売手数料の対象となるが、本発明は両方の２系列が販売手数料の対象となりバイナリーシステムの方伸び問題を解決する。
【発明を実施するための最良の形態】
【００１２】ビジネス会員は新規会員をスポンサーすることができます。そして自分の傘下の商品購入金額から販売手数料を受け取ります。【００１３】  メンバーは、自らが勧誘し入会させた新規メンバーを、自らの下位に配置することで組織を形成する。【００１４】  メンバーの直下には、左右２系列に１人ずつ配置することができる。
以下、メンバー及びメンバーの下位メンバーが勧誘した新規メンバーは、コンピュータで自動的に左右の系列に配置される。【００１５】  但し、メンバー自らが勧誘した３人目以降の新規メンバーについては、任意の下位メンバーの直下に配置するよう指定することができる。（図２参照）
指定した下位メンバーの直下が既に登録済みであった場合は、指定した下位メンバーの下位組織にコンピュータにより、自動的に配置される。【００１６】  メンバーは、自らが勧誘した下位メンバーを２名以上持ち、且つ、２系列の両方で特定の売上げ金額を達成した場合、左右の系列の末端に１ヶ所ずつ、自らのポジションを新たに登録することができる。この新規ポジションはベースセンター（ＢＣ）という。
ＢＣは９９ヶ所を上限として、上記の条件を達成する度に登録することが可能である。
ＢＣの登録には、登録書の提出と、特定の金額の商品購入が必要となる。【００１７】  メンバーの下位組織２系列の内、売上げ金額が少ない方が、累計で特定の金額に達したとき、規定のボーナスが支払われる。（デイサイクルボーナス）（図３参照）
デイサイクルボーナスは累計金額に応じて支払われ、達成する時間に期限はない。【００１８】  メンバーの下位組織２系列の両方が累計で特定の売上げ金額を達成（フルサイクル）した場合、規定のボーナス（フルサイクルボーナス）が支払われる。
フルサイクルを達成した翌日より両方の系列より規定のポイントが差し引かれ、差額のポイントから累計が再開する。【００１９】  フルサイクルは、ＢＣ１ヶ所につき、１日２回までボーナス支払い対象となる。【００２０】ビジネスメンバーがフルサイクル（左右それぞれ３０万ポイント）を達成した場合、そのメンバーは達成順にビジネス組織の最上位（頂点）のポジションに新たに登録しＦＣメンバー（フルサイクルクラブメンバー）としてそこからさらにビジネスの展開が可能になる。【００２１】新ポジションでボーナスを受け取るためには、達成したフルサイクルを当月維持することが条件である。【００２２】フルサイクルを維持しなかった場合は、その月はデイサイクルボーナスは支払われるか、ＧＬボーナスは支払われない。【００２３】ＦＣメンバー（ＦＣ１）がさらに上のポジション（ＦＣ２）を目指す場合、ＦＣ１の小さい方が規定ポイントを達成した場合、ＦＣ２のポジションを持つことができる。【００２４】ＧＬボーナスは自分の２系列の内、売上が大きいようの系列グループの月間売上ポイントに対して支払われます。（図４参照）
【図面の簡単な説明】
【００２５】
【図１】ＦＣクラブシステムのしくみビジネスメンバー（Ｂ、Ｃ、Ｄ、Ｅ、Ｆ）がフルサイクル（左右それぞれ３０万ポイント）を達成した場合、そのメンバーはビジネス組織の最上位のポジション（達成順）新たに登録しビジネスを展開できる。
【００２６】
【図２】バイナリーシステムのしくみビジネス会員の直下に２人まで登録することが出来ます。その後左右順で自動登録されます。
【００２７】
【図３】デイサイクルボーナスのしくみ。デイサイクルボーナスは自分から始まる左右ラインの内、グループポイントの少ない方のラインに支払われます。両ラインが３０万ポイントを達成（フルサイクル）すると、翌日は両ラインから差し引かれ残りのポイントからスタートします。
【００２８】
【図４】ＧＬボーナスのしくみ。ＧＬボーナスはは自分の売上の大きい方のグループの月間売上ポイントに対して支払われるボーナスで小さい方のグループ売上ポイントによりランク設定されています。
【図１】
2005339490.tif 000002
【図２】
2005339490.tif 000003
【図３】
2005339490.tif 000004
【図４】
2005339490.tif 000005